【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ユーザ装置によって実行される方法であって、
第１データ無線ベアラから第２データ無線ベアラへの再構成を示す指示情報を含む第１無線リソース制御接続再構成メッセージを受信し、
前記ユーザ装置がある無線ベアラを前記第１データ無線ベアラから前記第２データ無線ベアラに再構成する場合であって前記ある無線ベアラがパケットデータ収束プロトコルステータスリポートを送信するように構成されている場合に、前記パケットデータ収束プロトコルステータスリポートを基地局装置に送信し、
前記第２データ無線ベアラは、無線プロトコルがワイヤレス・ローカル・エリアネットワークではなく前記基地局装置に位置するベアラであって、基地局装置の無線リソースとワイヤレス・ローカル・エリアネットワークの無線リソースとのうちの前記基地局装置の無線リソースを使用するベアラであり、
前記第１データ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラである、方法。
【請求項２】
請求項１に記載の方法であって、更に、
前記第２データ無線ベアラから前記第１データ無線ベアラへの再構成を示す指示情報と、追加が必要なデータ無線ベアラのリストを含むdrb-ToAddModListパラメータとを含む第２無線リソース制御接続再構成メッセージを受信し、
前記第１データ無線ベアラ用に構成可能なパケットデータ収束プロトコルパラメータの構成に使用されるpdcp-Configパラメータが前記drb-ToAddModListパラメータに含まれている場合に、前記pdcp-Configパラメータに従ってパケットデータ収束プロトコルエンティティを再構成し、
前記第１データ無線ベアラの無線リンク制御構成情報を示すのに使用されるrlc-Configパラメータと、論理チャネルパラメータの構成に使用されるlogicalChannelConfigパラメータとが前記drb-ToAddModListパラメータに含まれている場合に、前記rlc-Configパラメータと前記logicalChannelConfigパラメータとに従って、無線リンク制御エンティティとDTCH論理チャネルを再構成する、方法。
【請求項３】
請求項２に記載の方法であって、更に、
前記基地局装置との通信に使用される１つの適応エンティティであって複数の前記第１データ無線ベアラに対する１つの適応エンティティを再構成する、方法。
【請求項４】
基地局装置によって実行される方法であって、
第１データ無線ベアラから第２データ無線ベアラへの再構成を示す指示情報を含む第１の無線リソース制御接続再構成メッセージをユーザ装置に送信し、
前記ユーザ装置のある無線ベアラが前記第１データ無線ベアラから前記第２データ無線ベアラに再構成される場合であって前記ユーザ装置の前記ある無線ベアラがパケットデータ収束プロトコルステータスリポートを送信するように構成されている場合に、前記パケットデータ収束プロトコルステータスリポートを前記ユーザ装置から受信し、
前記第２データ無線ベアラは、無線プロトコルがワイヤレス・ローカル・エリアネットワークではなく前記基地局装置に位置するベアラであって、前記基地局装置の無線リソースとワイヤレス・ローカル・エリアネットワークの無線リソースとのうちの前記基地局装置の無線リソースを使用するベアラであり、
前記第１データ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラである、方法。
【請求項５】
請求項４に記載の方法であって、更に、
前記第２データ無線ベアラから前記第１データ無線ベアラへの再構成を示す指示情報と、追加が必要なデータ無線ベアラのリストを含むdrb-ToAddModListパラメータとを含む第２無線リソース制御接続再構成メッセージを送信し、
前記第１データ無線ベアラ用に構成可能なパケットデータ収束プロトコルパラメータの構成に使用されるpdcp-Configパラメータが前記drb-ToAddModListパラメータに含まれている場合に、前記pdcp-Configパラメータに従って前記ユーザ装置のパケットデータ収束プロトコルエンティティが再構成され、
前記第１データ無線ベアラの無線リンク制御構成情報を示すのに使用されるrlc-Configパラメータと、論理チャネルパラメータの構成に使用されるlogicalChannelConfigパラメータとが前記drb-ToAddModListパラメータに含まれている場合に、前記ユーザ装置の無線リンク制御エンティティとDTCH論理チャネルが前記rlc-Configパラメータと前記logicalChannelConfigパラメータとに従って再構成される、方法。
【請求項６】
請求項５に記載の方法であって、更に、
前記ユーザ装置との通信に使用される１つの適応エンティティであって、複数の前記第１データ無線ベアラに対する１つの適応エンティティが再構成される、方法。
【請求項７】
ユーザ装置であって、
第１データ無線ベアラから第２データ無線ベアラへの再構成を示す指示情報を含む第１無線リソース制御接続再構成メッセージを受信する受信部と、
前記ユーザ装置がある無線ベアラを前記第１データ無線ベアラから前記第２データ無線ベアラに再構成する場合であって前記ある無線ベアラがパケットデータ収束プロトコルステータスリポートを送信するように構成されている場合に、前記パケットデータ収束プロトコルステータスリポートを基地局装置に送信する送信部と、を備え、
前記第２データ無線ベアラは、無線プロトコルがワイヤレス・ローカル・エリアネットワークではなく前記基地局装置に位置するベアラであって、前記基地局装置の無線リソースとワイヤレス・ローカル・エリアネットワークの無線リソースとのうちの前記基地局装置の無線リソースを使用するベアラであり、
前記第１データ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラである、ユーザ装置。
【請求項８】
請求項７に記載のユーザ装置であって、
前記受信部は、前記第２データ無線ベアラから前記第１データ無線ベアラへの再構成を示す指示情報と、追加が必要なデータ無線ベアラのリストを含むdrb-ToAddModListパラメータとを含む第２無線リソース制御接続再構成メッセージを受信し、
前記第１データ無線ベアラ用に構成可能なパケットデータ収束プロトコルパラメータの構成に使用されるpdcp-Configパラメータが前記drb-ToAddModListパラメータに含まれている場合に、前記pdcp-Configパラメータに従ってパケットデータ収束プロトコルエンティティを再構成する再構成部をさらに備え、
前記再構成部は、前記第１データ無線ベアラの無線リンク制御構成情報を示すのに使用されるrlc-Configパラメータと、論理チャネルパラメータの構成に使用されるlogicalChannelConfigパラメータとが前記drb-ToAddModListパラメータに含まれている場合に、前記rlc-Configパラメータと前記logicalChannelConfigパラメータとに従って、無線リンク制御エンティティとDTCH論理チャネルを再構成する、ユーザ装置。
【請求項９】
請求項８に記載のユーザ装置であって、
前記再構成部が、前記基地局装置との通信に使用される１つの適応エンティティであって複数の前記第１データ無線ベアラに対する１つの適応エンティティを再構成する、ユーザ装置。
【請求項１０】
基地局装置であって、
第１データ無線ベアラから第２データ無線ベアラへの再構成を示す指示情報を含む第１無線リソース制御接続再構成メッセージをユーザ装置に送信する送信部と、
前記ユーザ装置のある無線ベアラが前記第１データ無線ベアラから前記第２データ無線ベアラに再構成される場合であって前記ユーザ装置の前記ある無線ベアラがパケットデータ収束プロトコルステータスリポートを送信するように構成されている場合に、前記パケットデータ収束プロトコルステータスリポートを前記ユーザ装置から受信する受信部と、を備え、
前記第２データ無線ベアラは、無線プロトコルがワイヤレス・ローカル・エリアネットワークではなく前記基地局装置に位置するベアラであって、前記基地局装置の無線リソースとワイヤレス・ローカル・エリアネットワークの無線リソースとのうちの前記基地局装置の無線リソースを使用するベアラであり、
前記第１データ無線ベアラは、無線プロトコルが前記基地局装置と前記ワイヤレス・ローカル・エリアネットワークの両方に位置するベアラであって、前記基地局装置の無線リソースと前記ワイヤレス・ローカル・エリアネットワークの無線リソースとの両方を使用するベアラである、基地局装置。
【請求項１１】
請求項１０に記載の基地局装置であって、
前記送信部は、前記第２データ無線ベアラから前記第１データ無線ベアラへの再構成を示す指示情報と、追加が必要なデータ無線ベアラのリストを含むdrb-ToAddModListパラメータとを含む第２無線リソース制御接続再構成メッセージを送信し、
前記第１データ無線ベアラ用に構成可能なパケットデータ収束プロトコルパラメータの構成に使用されるpdcp-Configパラメータが前記drb-ToAddModListパラメータに含まれている場合に、前記pdcp-Configパラメータに従って前記ユーザ装置のパケットデータ収束プロトコルエンティティが再構成され、
前記第１データ無線ベアラの無線リンク制御構成情報を示すのに使用されるrlc-Configパラメータと、論理チャネルパラメータの構成に使用されるlogicalChannelConfigパラメータとが前記drb-ToAddModListパラメータに含まれている場合に、前記ユーザ装置の無線リンク制御エンティティとDTCH論理チャネルが前記rlc-Configパラメータと前記logicalChannelConfigパラメータとに従って再構成される、基地局装置。
【請求項１２】
請求項１１に記載の基地局装置であって、
前記ユーザ装置との通信に使用される１つの適応エンティティであって、複数の前記第１データ無線ベアラに対する１つの適応エンティティが再構成される、基地局装置。
【請求項１３】
請求項１に記載の方法であって、
前記ある無線ベアラが前記パケットデータ収束プロトコルステータスリポートを送信するように構成されているか否かがＲＲＣシグナリングにより構成される、方法。
【請求項１４】
請求項４に記載の方法であって、
前記ある無線ベアラが前記パケットデータ収束プロトコルステータスリポートを送信するように構成されているか否かがＲＲＣシグナリングにより構成される、方法。
【請求項１５】
請求項７に記載のユーザ装置であって、
前記ある無線ベアラが前記パケットデータ収束プロトコルステータスリポートを送信するように構成されているか否かがＲＲＣシグナリングにより構成される、ユーザ装置。
【請求項１６】
請求項１０に記載の基地局装置であって、
前記ある無線ベアラが前記パケットデータ収束プロトコルステータスリポートを送信するように構成されているか否かがＲＲＣシグナリングにより構成される、基地局装置。
【手続補正２】
【補正対象書類名】明細書
【補正対象項目名】００６０
【補正方法】変更
【補正の内容】
【００６０】
選択可能に、ユーザ装置がＷＬＮ分離ＤＲＢをＭＣＧ  ＤＲＢとして再構成する時に、ＰＤＣＰエンティティを再構築するとともにＰＤＣＰステータスリポートを送信する。選択可能に、ＲＲＣシグナリングにより、ユーザ装置がＷＬＮ分離ＤＲＢをＭＣＧ  ＤＲＢとして再構成する時に、ＰＤＣＰエンティティを再構築するとともにＰＤＣＰステータスリポートを送信するか否かを構成することができる。
【手続補正３】
【補正対象書類名】明細書
【補正対象項目名】００６６
【補正方法】変更
【補正の内容】
【００６６】
選択可能に、ユーザ装置がＷＬＮ分離ＤＲＢをＷＬＮ不可分ＤＲＢとして再構成する時に、ＰＤＣＰエンティティを再構築するとともにＰＤＣＰステータスリポートを送信する。選択可能に、ＲＲＣシグナリングにより、ユーザ装置がＷＬＮ分離ＤＲＢをＷＬＮ不可分ＤＲＢとして再構成する時に、ＰＤＣＰエンティティを再構築するとともにＰＤＣＰステータスリポートを送信するか否かを構成することができる。
【手続補正４】
【補正対象書類名】明細書
【補正対象項目名】００７５
【補正方法】変更
【補正の内容】
【００７５】
選択可能に、ユーザ装置がＷＬＮ不可分ＤＲＢをＭＣＧ  ＤＲＢとして再構成する時に、ＰＤＣＰエンティティを再構築するとともにＰＤＣＰステータスリポートを送信する。選択可能に、ＲＲＣシグナリングにより、ユーザ装置がＷＬＮ不可分ＤＲＢをＭＣＧ  ＤＲＢとして再構成する時に、ＰＤＣＰエンティティを再構築するとともにＰＤＣＰステータスリポートを送信するか否かを構成することができる。
【手続補正５】
【補正対象書類名】明細書
【補正対象項目名】００８１
【補正方法】変更
【補正の内容】
【００８１】
選択可能に、ユーザ装置がＷＬＮ不可分ＤＲＢをＷＬＮ分離ＤＲＢとして再構成する時に、ＰＤＣＰエンティティを再構築するとともにＰＤＣＰステータスリポートを送信する。選択可能に、ＲＲＣシグナリングにより、ユーザ装置がＷＬＮ不可分ＤＲＢをＷＬＮ分離ＤＲＢとして再構成する時に、ＰＤＣＰエンティティを再構築するとともにＰＤＣＰステータスリポートを送信するか否かを構成することができる。
【手続補正６】
【補正対象書類名】明細書
【補正対象項目名】００５１
【補正方法】変更
【補正の内容】
【００５１】
選択可能に、ユーザ装置がＭＣＧ  ＤＲＢをＷＬＮ不可分ＤＲＢとして再構成する時に、ＰＤＣＰエンティティを再構築するとともにＰＤＣＰステータスリポートを送信する。選択可能に、ＲＲＣシグナリングにより、ユーザ装置がＭＣＧ  ＤＲＢをＷＬＮ不可分ＤＲＢとして再構成する時に、ＰＤＣＰエンティティを再構築するとともにＰＤＣＰステータスリポートを送信するか否かを構成することができる。